(57)【特許請求の範囲】
【請求項１】
液体に浮遊するフロート部と、前記フロート部の中央に設置された支柱の先端に設けられた液体温度測定部と、前記液体温度測定部の周囲を覆うように設けられ、かつ、開口を有するカバー部材とを備え、
前記カバー部材は、カバー部材の一端で前記支柱に固定されると共に、その他端が開放されて前記開口となっている
ことを特徴とする液体温度測定手段。
【請求項２】
前記カバー部材に貫通孔が設けられていることを特徴とする請求項１に記載の液体温度測定手段。
【請求項３】
前記カバー部材が、首部と、前記首部に連接された肩部と、前記肩部に連接され、かつ、底部が開放された前記開口となっている胴部とで構成され、前記首部が前記支柱に嵌合した状態で前記支柱に接着テープにより接着固定されていることを特徴とする請求項１又は２に記載の液体温度測定手段。
【請求項４】
復水器、海水取水装置及び海水放流装置を具備し、前記海水取水装置で取水した海水で前記復水器を冷却し、加熱された海水を前記海水放流装置を介して海に戻すように構成すると共に、前記海水取水装置の取水槽内に請求項１〜３のいずれか１項に記載された液体温度測定手段を設けたことを特徴とする復水器の冷却設備。
【発明の詳細な説明】
【技術分野】
【０００１】
本発明は液体温度測定手段及びこれを用いた復水器の冷却設備に関する。
【背景技術】
【０００２】
発電所では、復水器の熱交換に海水を用いられることがある。例えば、特許文献１には、復水器、海水取水装置及び海水放流装置を具備し、海水取水装置で取水した海水で前記復水器を冷却し、加熱された海水を前記海水放流装置を介して海に戻すように構成した復水器の冷却設備が記載されている。
【０００３】
一般に、このような発電所においては、海水取水装置側の海水温と海水放流装置側の海水温とを測定して、海水取水装置側と海水放流装置側とでの温度差を導出し、温度差が一定の範囲内になければ、発電所の運転を停止するようにしている。これは、温度差が一定の範囲にないような加熱された海水を放流することが禁止されているからであり、この温度差はシビアに規定されている。
【特許文献１】特開２００２−２２１３９５号公報（請求項１等）
【発明の開示】
【発明が解決しようとする課題】
【０００４】
しかしながら、海水取水装置側の温度測定結果が±０．５℃程度の幅でぶれてしまうことがあり、この場合に海水の温度差を導出すると、このぶれ幅が原因で温度差が一定の範囲外となることがある。これは、上述のように温度差がシビアに規定されているからであり、この場合には、たとえ発電所の運転は正常であっても、運転を停止しなければならないという問題がある。
【０００５】
そこで、本発明の課題は、上記従来技術の問題点を解決することにあり、液体温度をぶれずに正確に測定することができる液体温度測定手段を提供することにある。また、本発明の課題は、このような誤測定により停止することがないように、水温を正確にぶれずに測定することができる液体温度測定手段を用いた復水器の冷却設備を提供することにある。
【課題を解決するための手段】
【０００６】
本発明の液体温度測定手段は、液体に浮遊するフロート部と、前記フロート部の中央に設置された支柱の先端に設けられた液体温度測定部と、前記液体温度測定部の周囲を覆うように設けられ、かつ、開口を有するカバー部材とを備え、前記カバー部材は、カバー部材の一端で前記支柱に固定されると共に、その他端が開放されて前記開口となっていることを特徴とする。本発明においては、支柱の先端に液体温度測定部が設けられたことで、表面近くの環境によって変わりやすい不安定な温度ではなく、液体中の安定した温度を測定することができる。かつ、液体温度測定部の周囲にカバー部材を備えたことで、測定結果のぶれを防止することができる。つまり、液体温度測定部が、液体が一旦カバー部材内に開口から流入してからでないと液体温度測定部で温度測定できないように構成していることから、液体が撹拌されたことにより液体温度が変動するような場合であっても、液体温度測定部が温度変化に過剰に反応することがないので、ぶれずに正確に測定できる。
【０００７】
また、本発明の液体温度測定手段では、前記カバー部材は、カバー部材の一端で前記支柱に固定されると共に、その他端が開放されて前記開口となっている。このようにカバー部材の一端が開放され、かつ他端で支柱に固定された構成となっているので、簡易にカバー部材を設けることができると共に、カバー部材の開放された一端側、即ち下方から液体がカバー部材内に流入するので、支柱の先端位置の液体の温度を常に測定することができる。
【０００８】
前記カバー部材に貫通孔が設けられていることが好ましい。これにより、カバー部材内の海水とカバー部材外の海水とがゆるやかに置換され、温度測定部がより水温の変動に対して過剰に反応しないので、ぶれがなく正確に水温を測定することができる。
【０００９】
このような温度測定手段の好適な実施形態としては、前記カバー部材が、首部と、前記首部に連接された肩部と、前記肩部に連接され、かつ、底部が開放された前記開口となっている胴部とで構成され、前記首部が前記支柱に嵌合した状態で前記支柱に接着テープにより接着固定されていることが挙げられる。
【００１０】
本発明の復水器の冷却設備は、復水器、海水取水装置及び海水放流装置を具備し、前記海水取水装置で取水した海水で前記復水器を冷却し、加熱された海水を前記海水放流装置を介して海に戻すように構成すると共に、前記海水取水装置の取水槽内に上記温度測定手段を設けたことを特徴とする。復水器の冷却装置において上記温度測定手段を備えていることで、正確に海水温を測定できる。
【発明の効果】
【００１１】
本発明の温度測定手段によれば、過剰に水温の変化に対応せずに正確に水温を測定できるという優れた効果を奏する。また、本発明の復水器の冷却装置を、例えば発電所などに設置した場合に、過剰に水温の変化に対応せずに取水側の水温を測定できる測定手段を有しているので、測定誤差により発電所の運転を停止することがない。
【発明を実施するための最良の形態】
【００１２】
本実施の形態について、図面を参照して説明する。なお、図面中同じ構成要素には同じ参照符号が付してある。
【００１３】
本実施形態の復水器の冷却設備について図１を用いて初めに説明する。
【００１４】
図１によれば、復水器の冷却設備１は、復水器２と、取水部３と、放流部４とからなる。取水部３は、取水槽３１と取水槽３１内の取水ポンプ３２とからなる。取水槽３１は海に面して設けられ、取水槽３１を構成する壁部３３のうち、海側の壁部３３の下部３４が開放されており、この開放された下部３４から海水が取水槽３１内に流入するように構成されている。取水ポンプ３２は復水器２に接続された取水管３５を介して復水器２に接続されている。また、復水器２の他方側には放流部４の放流管４１が設けられ、放流管４１は、海へ接続している。
【００１５】
このように構成された復水器の冷却設備１では、取水槽３１の取水ポンプ３２から取水された海水が取水管３５を介して復水器２へ導入され、この海水で前記復水器２を冷却し、熱交換により加熱された海水は放流管４１を介して海に戻される。
【００１６】
かかる復水器の冷却設備１において、取水部３での海水温と、放流部４での海水温との差を導出するために、本実施形態では、測定部５が設けられている。測定部５は、取水側温度測定手段５１と、放流側温度測定手段５２とを備える。取水側温度測定手段５１は、取水槽３１内に設置され、放流側温度測定手段５２は、海の放流管４１が設置されている近辺に設置されている。これらは、それぞれ海水温を測定するフロート型の温度測定手段である。取水側温度測定手段５１と放流側温度測定手段５２とは、それぞれでの温度測定結果を記録する記録部５３に接続され、記録部５３は、演算部５４に接続されている。さらにまた、測定部５は、取水側温度測定手段５１に異常が発生した場合に備えて、補助取水側温度測定手段５５を備え、この補助取水側温度測定手段５５も記録部５３に接続されている。
【００１７】
このような測定部５では、取水側温度測定手段５１で測定した海水温と、放流側温度測定手段５２で測定した海水温を記録部５３で記録するとともに、演算部５４によって海水温差を導出している。また、測定部５では、取水側温度測定手段５１に異常が発生した場合には、取水側温度測定手段５１を補助取水側温度測定手段５５に切り換えて、補助取水側温度測定手段５５で測定した海水温を記録部５３に記録している。
【００１８】
ところで、従来、取水側の温度測定手段が取水側の海水温を測定するとぶれてしまうという場合があった。この点について図２を用いて説明する。図２は、従来の温度測定手段を説明するための模式図である。従来の温度測定手段６は、フロート部６１と、フロート部６１中央に設けられた支柱６２と、支柱６２の先端に設けられた温度測定部６３とからなる。かかる構成により、温度測定手段６は、取水槽３１に浮きながら、支柱６２の先端にある温度測定部６３で、水面近くの変動しやすい温度ではなく、水面下の変動しにくい安定した海水温を測定していた。しかし、例えば強風などにより水面が荒れると、温度測定部が支柱６２の先端位置での海水温だけを図り続けることができずに、強風により撹拌されて変動した海水の温度も測定してしまうことで、温度測定結果がぶれて誤測定の原因となっていた。
【００１９】
そこで、本実施形態においては、図１及び図３に示すように、温度測定部６３の周囲を覆うようにカバー部材５６を設けて、水面が荒れた場合であっても、撹拌されて変動した海水の温度を測定することなく、カバー部材５６内部に進入した海水の温度だけを測定するように構成している。カバー部材５６内に進入した海水の温度のみを測定できることにより、変動した海水温に過剰に反応することなく、支柱６２の先端位置における安定した海水の温度のみを測定し続けることができ、測定結果がぶれることを防止している。
【００２０】
このカバー部材５６について、図３及び図４を参照してより詳細に説明する。
【００２１】
カバー部材５６は、筒状であり、肩部５６１と肩部５６１に連接する胴部５６２及び首部５６３とからなる。カバー部材５６の肩部５６１と胴部５６２とには、貫通孔５６４が複数設けてある。この貫通孔５６４は、カバー部材５６を取水側温度測定手段５１に固定して水中に入れた場合の空気抜きとして機能するとともに、カバー部材５６内の海水をカバー部材５６外の海水とをゆっくりと置換するように機能するものである。このように貫通孔５６４を有することで、カバー部材５６内外の海水をゆっくりと置換することで、変動した海水温に過剰に反応することがなく、しかも常に海水温を正確に測定することができる。
【００２２】
このカバー部材５６の首部５６３の開口５６５は、支柱６２の大きさに合わせてあり、この開口５６５が支柱６２に嵌合して、図示しない接着テープを介して接着固定される。なお、接着テープとしては絶縁テープを用いることが好ましい。
【００２３】
カバー部材５６としては、軽い素材から構成することが好ましい。軽いことで、本実施形態のようなフロート式の温度測定手段に用いることができる。例えば、ＰＥＴ素材などを用いることができる。
【００２４】
このように取水側温度測定手段５１は、カバー部材５６を備えることで、上述したように、水面が荒れた場合であっても、測定結果がぶれることを防止できる。さらにまた、カバー部材５６の底部が開放されていると共に、貫通孔５６４が複数設けられていることで、カバー部材５６内の海水をゆっくりカバー部材５６外の海水と置換することができるので、より測定温度がぶれることなく、正確に取水槽３１内の温度を測定することができる。
【００２５】
このような機能を果たすものであれば、カバー部材５６の形状は、上記のような形状に限られない。即ち、カバー部材５６として、開口（貫通孔）が設けられている袋状のものを用いてもよい。
【００２６】
本実施形態においては、このカバー部材５６は、補助取水側温度測定手段５５及び取水側温度測定手段５１に設けて、それぞれ測定温度のぶれを防止しているが、取水側温度測定手段５１に少なくとも設けてあればよい。
【００２７】
また、このカバー部材５６は、復水器の冷却設備１の温度測定手段に限らず、液体中に設置される各種液体の温度測定手段に用いることができる。
【産業上の利用可能性】
【００２８】
本発明の温度測定手段は、水中の温度を正確に測定することが可能である。また、この温度測定手段を用いた復水器の冷却設備は、水中の温度を正確に測定することができるので、運転は正常で本来温度差が一定の範囲にある場合には誤測定により停止することがない。従って、電気事業分野において利用可能である。
【図面の簡単な説明】
【００２９】
【図１】復水器の冷却設備を説明するための模式図である。
【図２】従来の温度測定手段を説明するための模式図である。
【図３】本実施形態の測定手段を説明するための模式図である。
【図４】カバー部材を説明するための模式図である。
【符号の説明】
【００３０】
１            復水器の冷却設備
２            復水器
３            取水部
４            放流部
５            測定部
６            従来の温度測定手段
２１          取水管
２２          放流管
３１          取水槽
３２          取水ポンプ
３３          壁部
３４          下部
５１          取水側温度測定手段
５２          放流側温度測定手段
５３          記録部
５４          演算部
５５          補助取水側温度測定手段
５６          カバー部材
６１          フロート部
６２          支柱
６３          温度測定部
５６１        肩部
５６２        胴部
５６３        首部
５６４        貫通孔
【図１】
0005030834.tif 000002
【図２】
0005030834.tif 000003
【図３】
0005030834.tif 000004
【図４】
0005030834.tif 000005